(57)【要約】【課題】ＰＯＳ装置の電子多項目キーボードにおいて、項目キーに割り当てる設定品目、値段などに変更が行われたとき、これを他のグループにも簡単に変更できるようにしたものである。【解決手段】前記目的を達成するため、本発明では、表示部２と、入力部１と、ＰＯＳ端末の電子多項目キーボードのグループ代表毎のデータを保持するテーブル領域４を有するサーバ１を備えたＰＯＳ装置において、コピー元グループ番号を保持する元グループ領域と、コピー先グループを保持するコピー先グループ保持領域と、データが変更される変更項目キーとその変更内容が保持される変更データ保持領域を有する保存領域６と、この保存領域６のデータを電子多項目キーボードの変更項目にコピーするコピー手段５を設けたことを特徴とする。【選択図】図１
2006012019.tif 000002
【特許請求の範囲】
【請求項１】
表示部と、入力部と、ＰＯＳ端末の電子多項目キーボードのグループ代表毎のデータを保持するテーブル領域を有するサーバを備えたＰＯＳ装置において、
コピー元グループ番号を保持する元グループ領域と、コピー先グループを保持するコピー先グループ保持領域と、データが変更される変更項目キーとその変更内容が保持される変更データ保持領域を有する保存領域と、
この保存領域のデータを電子多項目キーボードの変更項目にコピーするコピー手段を設けたことを特徴とするＰＯＳ装置。
【請求項２】
電子多項目キーボードのコピー元を示す元グループ番号と、コピー先のグループ番号を有する変更データ保持領域と、
このコピー元グループ番号の電子多項目キーボードのデータをコピー先にコピーするコピー手段を設け、
前記テーブル領域にコピー元グループ番号の電子多項目キーボードのデータをコピーすることを特徴とする請求項１記載のＰＯＳ装置。
【発明の詳細な説明】
【技術分野】
【０００１】
本発明はＰＯＳ（Ｐｏｉｎｔ  ｏｆ  Ｓａｌｅｓ）装置に係り、特にＰＯＳシステムの電子多項目キーボードにおいて項目キーに割り当てる設定品目、値段等に変更が行われたとき、この変更を他のグループでも簡単に行うようにしたものに関する。
【背景技術】
【０００２】
近年、図４に示す如く、ＰＯＳ端末の表示画面１００に顧客が購入する品物の品名と単価を表示した複数の項目キー１０１−１、１０１−２・・・を具備する電子キーボード１０１が設けている。この項目キーは、図４（Ｂ）に示す如く、品名とその単価を表示しており、顧客が店先で購入した品物の項目キーをＰＯＳのオペレータがタッチすることにより、品名と単価が入力されるものである。また売場で取り扱う品物数が多いため、ページボタン部１０２を表示し、ページボタン１０２−１、１０２−２・・・をタッチする度に表示画面１００が変更し、１ページ、２ページ・・・（この例では７ページまで）が表示されるように構成されている。
【特許文献１】特開平９−３１９４９０号公報
【発明の開示】
【発明が解決しようとする課題】
【０００３】
なお品名は文字のみでなく、画像や写真により表示することが可能であり、金額は項目キーの表面に必ずしも金額を表示する必要はなく、項目キーがタッチされたとき、品名と、単価が入力されればよい。
【０００４】
項目キーの大きさも固定ではなく、最小の大きさ（ユーザがマニアル操作可能な最小のサイズ）の整数倍に設定可能であり、また複数個の項目キーを集めて１つの項目キーを構成することができる。このようにして電子多項目キーボードのレイアウトが決められる。      
【０００５】
ところで大型の小売店では、多数の顧客に対して効率よく売上げ処理を行うため、売場に設置されるＰＯＳ端末の台数は顧客の数に応じて決められる。同一の売場では各ＰＯＳ端末の電子多項目キーボードのレイアウトは同一である。
【０００６】
販売商品は、売場により異なるので、例えば食品売場と書籍売場とでは当然ＰＯＳ端末のキーボードのレイアウトは全く異なる。
【０００７】
ＰＯＳ端末では、その売場でもっとも売れる品物に対するキーがＰＯＳ装置本体つまりメイン側に配置されており、売れ筋以外のものが、前記電子多項目キーボード側に配置されているのが普通である。
【０００８】
したがってＰＯＳ端末も、食品グループとか、家電グループとか、衣類グループ等、複数にグループ分けされ、通常は同一グループでは同一のキー配置が行われている。
【０００９】
ところで、最近では、複数の売場を廻って最後に清算する、例えば衣類と書籍を買ったあと食品を買い、食品売場で全買物を清算するという買い廻りする顧客が増えており、このためＰＯＳ端末で取り扱う品物の形態も変化が生じている。
【００１０】
食品売場の如く、顧客が多品目の品物を購入する売場では、顧客の購入した商品をＰＯＳ端末に入力する者と、顧客からその購入金額を受取り、釣り銭と購入品を渡す者の２人制を採用するところと、小品目の品物を購入する売場では、ＰＯＳ端末への入力から釣り銭の支払いまでを１人で行う１人制を採用するところが存在する。このためＰＯＳ端末も２人制のところと１人制のところでは電子多項目キーボードのキー配置を分け、１番よく売れる商品がＰＯＳ端末の本体の方に割り当てられるように配置していた。
【００１１】
このように、売り方が変わり、ＰＯＳ端末の本体の項目キーの配置が変わっても電子多項目キー側に配置しておきたいものは、店全体でみると大きな変化はないが、特売用の生鮮食品等もあり、値段が毎日変わるので、毎日項目キーのデータを入力することが必要である。
【００１２】
このように、従来のＰＯＳシステムでは売場毎に、あるいはＰＯＳ端末に接続されるメインキーボードの種類毎にキーレイアウト設定がグループ化され、追加された電子多項目キーボードのキーレイアウト設定もグループ毎に設定・変更する必要があった。
【００１３】
近年、同一の売場内での設置ＰＯＳの装置構成の多様化や、食品売場と非食品売場間での消費者の自由な移動と、どのＰＯＳ端末でもチェックアウト可能とする販売形態の変化から、グループ間で共通、あるいはほぼ同一設定の電子多項目キーボード設定のニーズが高まっている。しかし現状は毎日変更する品目を店舗に存在する全グループに対し、店長の如き責任者が一つ一つ設定を行っている。
【００１４】
このため販売形態の変化に応じてグループの数が多くなっている現在では、この設定入力のため、閉店後の作業時間が長くなったりあるいは開店前の作業時間が長くなるという問題が存在する。
【課題を解決するための手段】
【００１５】
前記課題を解決するため、本発明では、
（１）ＰＯＳ装置において、表示部と、入力部と、ＰＯＳ端末の電子多項目キーボードのグループ代表毎のデータを保持するテーブル領域を有するサーバを備えたＰＯＳ装置において、コピー元グループ番号を保持する元グループ領域と、コピー先グループを保持するコピー先グループ保持領域と、データが変更される変更項目キーとその変更内容が保持される変更データ保持領域を有する保存領域と、この保存領域のデータを電子多項目キーボードの変更項目にコピーするコピー手段を設けたことを特徴とする、
（２）また前記（１）において、電子多項目キーボードのコピー元を示す元グループ番号と、コピー先のグループ番号を有する変更データ保持領域と、このコピー元グループ番号の電子多項目キーボードのデータをコピー先にコピーするコピー手段を設け、前記テーブル領域にコピー元グループ番号の電子多項目キーボードのデータをコピーすることを特徴とする。
【発明の効果】
【００１６】
本発明により下記の効果を奏することができる。
【００１７】
（１）毎日、閉店前あるいは開店前に売場や、メインキーボード種別毎に決められたＰＯＳ端末グループ毎に項目キーの設定変更操作が必要であった電子多項目キーボードの設定が、代表グループのみの修正と、他グループへのコピー可能とすることにより、代表グループに対して行った修正を他グループにコピーすることができるので、責任者による全グループへの修正を必要とせず、代表グループに対する修正のみで設定変更操作を行うことができるので、閉店時作業あるいは開店前作業を短縮することができる。
【００１８】
（２）例えば新しくグループを増設した場合などでは、１つのグループに対して作成した電子多項目キーボードの設定を、増設したグループに対する設定初期値として利用可能となるので、電子多項目キーボードの新しいグループに対する設定を短時間で行うことができる。
【発明を実施するための最良の形態】
【００１９】
本発明では、図１に示す如く、複数のＰＯＳのグループＧ1 、Ｇ2 ・・・Ｇm+1 が接続されたサーバ１に、表示部２、入力部３、ＰＯＳのグループ代表毎の電子多項目キーボードのデータを保持するテーブル領域４と、コピー部５と、保存領域６と、ＣＰＵで構成される制御部７を有する。
【００２０】
例えばＰＯＳのグループＧ1 と、Ｇ3 と、Ｇ5 （図示省略）が１つのグループを構成し、これらの電子多項目キーボードの項目キーの１つのデータを変更するとき、店長の如き責任者は初めに変更すべき元グループ例えばＧ3 と、このグループに属している変更すべきグループＧ1 、Ｇ5 、変更すべき項目キーの番号と、その変更内容を入力部３より入力する。この入力は表示部２に表示されるガイダンスにより行われる。
【００２１】
これらの変更データが、保存領域６により保持されるので図示省略した実行キーを操作すれば、コピー部５が保存領域６に保持された変更内容をテーブル領域４に保持されたグループＧ1 、Ｇ3 、Ｇ5 の該当項目データを補正する。
【００２２】
このようにして代表グループＧ3 の修正のみで同一グループの他のグループの代表Ｇ1 、Ｇ5 の該当データも自動的に修正コピーされる。そして各グループのＰＯＳ端末は、自分がどのグループが認識しているので開店前の電源投入時にサーバ１よりそれぞれの代表の電子多項目キーボードの全データを自動的に読み取るので、前記修正されたデータも自動的にＰＯＳ端末に取り込むことができる。また責任者は、代表グループのみ修正すれば良く、全グループに対し修正データを設定する必要はなくなる。
【実施例１】
【００２３】
本発明の第１の実施例を図１、図２にもとづき説明する。図１において、１はサーバ、２は表示部、３は入力部、４はテーブル領域、５はコピー部、６は保存領域、７は制御部である。
【００２４】
サーバ１は、ＰＯＳ端末１−１、１−２・・・ｍ＋１・・・を管理するものであり、各ＰＯＳ端末の電子多項目キーボードのデータを設定したり、各ＰＯＳ端末の売上げ額を管理するものである。表示部２は、電子多項目キーボードに対してデータを設定するときのガイダンスを行うものである。
【００２５】
入力部３は、電子多項目キーボードのデータを変更するときの入力を行うものである。テーブル領域４は、ＰＯＳ端末１−１、１−２・・・ｍ＋１・・・のグループＧ1 、Ｇ2 、Ｇ3 ・・・Ｇm+1 の代表のグループ例えば１−１、２−３・・・等で構成される代表グループの電子多項目キーボードのデータＴ１、Ｔ２、Ｔ３・・・が保持されているメモリの領域である。
【００２６】
コピー部５は、後述する保存領域６に保持されたデータにもとづいてテーブル領域４のデータＴ１、Ｔ２・・・等を修正コピーしたり、後述するようにデータＴ１、Ｔ２・・・の１つを新しく設置したグループの初期設定値とするためにコピーするものである。
【００２７】
保存領域６は、補正元の電子多項目キーボードのグループ番号、つまり元グループ番号を保持したり、補正した電子多項目キーのキー番号を送出して補正するコピー先グループ番号を保持したり、補正する項目キー（キー番号）とその変更内容（品名、値段等）が保持されるメモリの領域である。
【００２８】
制御部７は、電子多項目キーの設定変更や初期設定、電源投入時の動作等に際し、表示部２、入力部３、テーブル領域４、コピー部５、保存領域６、グループＧ1 、Ｇ2 ・・・の各ＰＯＳ端末に対し、前記の如き処理を行うもので、ＣＰＵにより構成されている。
【００２９】
なおＰＯＳ端末１−１、１−２・・・ｍ＋１・・・の前記グループＧ1 、Ｇ2 ・・・は、例えば売場毎、ＰＯＳ端末のメインキーボードの種別毎等に応じて構成されるものであり、例えば図２に示す如く、ＰＯＳ端末１−１、１−２・・・１−ｎでグループＧ1 を構成し、ＰＯＳ端末２−１、２−２・・・２−ｐでグループＧ2 を構成し、ＰＯＳ端末３−１、３−２・・・３−ｑでグループＧ3 を構成し、ＰＯＳ端末ｍ＋１、ｍ＋２・・・ｍ＋ｒでグループＧm+1 を構成する場合を示す。
【００３０】
そしてグループＧ1 では例えばＰＯＳ端末１−１が、グループＧ2 ではＰＯＳ端末２−２（図示省略）が、グループＧ3 ではＰＯＳ端末３−５（図示省略）が代表として選択されており、その電子多項目キーボードＴ１、Ｔ２、Ｔ３がサーバ１のテーブル領域４に保持されている。
【００３１】
この代表Ｇ1 、Ｇ2 、Ｇ3 ・・・のうちＧ1 とＧ3 が同じグループを構成している。
【００３２】
例えば食品のグループを前記Ｇ1 とＧ3 で構成しているとき、責任者が食品関係の図２で示す項目キーＫ１とＫ１′の内容変更する場合、サーバ１を使用して、代表グループＧ1 、Ｇ3 の例えば項目キーＫ１とＫ１′を同じ内容に変更する場合について説明する。この場合Ｇ1 とＧ3 で構成するグループのうち、Ｇ3 を代表グループとする。代表グループは適宜選択できる。
【００３３】
本発明の動作を説明する。
【００３４】
Ｓ１．責任者は、入力部３を操作して、表示部２のガイダンス指示によりＰＯＳグループ選択を行い、変更元になるグループ名としてＧ3 を入力し、変更先（コピー先）グループとしてＧ1 を入力する。
【００３５】
Ｓ２．それから変更項目キーとしてＫ１′を入力し、変更内容として項目キーＫ１′の示す新しい品名とその単価（値段）を入力し、変更先として電子多項目キーボードテーブルＴ１のＫ１であることを認識させる。そして実行キーを操作する。
【００３６】
Ｓ３．これにより、コピー部５は、保存領域６のデータを読み取り、変更元が電子多項目キーボードテーブルＴ３の項目キーＫ１′であり、変更先が電子多項目キーボードＴ１の項目キーＫ１であること、変更内容の品名と値段は保存領域６に記載のとおりであることを認識し、電子多項目キーボードテーブルＴ３、Ｔ１の該当項目キーＫ１′、Ｋ１のデータを補正する。
【００３７】
このように、電子多項目キーボード設定が代表グループのみの修正により、他グループへのコピーを可能にすることができる。
【実施例２】
【００３８】
本発明の第２の実施例を図３にもとづき説明する。第２の実施例では、サーバ１に、ＰＯＳ端末１−１、１−２・・・１−ｎで構成されたグループＧ1 と、ＰＯＳ端末２−１、２−２・・・２−ｐで構成されたグループＧ2 が接続され、サーバ１のテーブル領域４にグループＧ1 、Ｇ2 の電子多項目キーボードＴ１、Ｔ２が設定されている場合において、新しくＰＯＳ端末３−１、３−２・・・３−ｑより構成されたグループＧ3 を増設する場合の例である。
【００３９】
Ｓ１．責任者は、ＰＯＳ端末３−１、３−２・・・３−ｑより構成されるグループＧ3 を新設するという入力を、図示省略した入力部より入力する。これによりサーバ１はそのテーブル領域４にグループＧ3 用の電子多項目キーボードＴ３用の領域を用意する。
【００４０】
Ｓ２．次に責任者は、入力部より表示部（図示省略）のガイダンス指示により、変更元になるグループ名として代表グループＧ2 を選択入力し、コピー対象先である対象グループとしてグループＧ3 を選択入力する。
【００４１】
Ｓ３．それから前記選択した電子多項目キーボードテーブルＴ２の画面を表示部に開く。そして表示画面上の保存キーを選択する。これにより保存領域６に前記入力データが保持される。
【００４２】
Ｓ４．コピー部５は保存領域６のデータを読み取り電子多項目キーボードＴ３の領域をチェックし、これが空であることを認識する。これによりコピー部５は、前記電子多項目キーボードＴ２の内容を全てテーブル領域４の電子多項目キーボードＴ３用の領域にコピーする。
【００４３】
Ｓ５．責任者は、このようにしてテーブルＴ２の内容を初期値として使用することができるが、この初期値において補正したい項目キーがあれば、通常の補正の手法で、つまりコピー機能は使わず、補正したい項目キーを指定して補正データ（品目、金額）を記入することにより所定の補正を行うことができる。
【００４４】
このようにして電子多項目キーボードのデータを初期値として使用することができるので、短時間でテーブルを作成することができる。
【図面の簡単な説明】
【００４５】
【図１】本発明の概略構成図である。
【図２】本発明の要部説明図である。
【図３】本発明の第２実施例説明図である。
【図４】電子多項目キーボード説明図である。
【符号の説明】
【００４６】
１  サーバ
２  表示部
３  入力部
４  テーブル領域
５  コピー部
６  保存領域
７  制御部
【図１】
2006012019.tif 000003
【図２】
2006012019.tif 000004
【図３】
2006012019.tif 000005
【図４】
2006012019.tif 000006